(57)【要約】【課題】本発明の課題は、ボールペンレフィルが当接する受け部が変形することがないため、所定の位置にボールペンレフィルを収納できる、有底の軸筒からなるボールペンを簡単な構造で提供することである。【解決手段】本発明は前記課題を解決するために、有底の軸筒内に、インキ収容筒の先端部に、ボールを回転自在に抱持したボールペンチップを直接又はチップホルダーを介して装着し、後端に内外を連通する空気穴を有するボールペンレフィルを配設してなるボールペンであって、前記軸筒の後端部内に、複数本の突部が交差する受け部を形成し、該受け部に前記ボールペンレフィルの後端面を当接して配設してあることを特徴とする。【選択図】      図１
2008055834.tif 000002
【特許請求の範囲】
【請求項１】
有底の軸筒内に、インキ収容筒の先端部に、ボールを回転自在に抱持したボールペンチップを直接又はチップホルダーを介して装着し、後端に内外を連通する空気穴を有するボールペンレフィルを配設してなるボールペンであって、前記軸筒の後端部内に、複数本の突部が交差する受け部を形成し、該受け部に前記ボールペンレフィルの後端面を当接して配設してあることを特徴とするボールペン。
【請求項２】
前記複数本の突部の交差する位置が、前記軸筒の軸心から偏心した位置に形成したことを特徴とする請求項１に記載のボールペン。
【請求項３】
前記受け部の前方に、ボールペンレフィルをガイドする複数本のリブを連設したことを特徴とする請求項１または２に記載のボールペン。
【発明の詳細な説明】
【技術分野】
【０００１】
本発明は、有底の軸筒内に、インキ収容筒の先端部に、ボールを回転自在に抱持したボールペンチップを直接又はチップホルダーを介して装着し、後端に内外を連通する空気穴を有するボールペンレフィルを配設してなるボールペンに関する。
【背景技術】
【０００２】
従来から、有底の軸筒内に、インキ収容筒の先端部に、ボールを回転自在に抱持したボールペンチップを直接又はチップホルダーを介して装着し、後端に内外を連通する空気穴を有するボールペンレフィルを配設してなるボールペンはよく知られている。
【０００３】
こうしたボールペンは、インキ収容筒内に充填したボールペン用インキの消費に伴う空気交替を行うため、実開昭６４−４６８２号「ボールペン用中芯の取付構造」や特開平１０−１１９４７７号公報「筆記具等の尾栓」のように、インキ収容筒の後端部を軸筒内に、内方に向かって形成したリブ等の突部や段部に当接し、インキ収容筒の後端に空気流通路を得ているものが開示されている。
【特許文献１】「実開昭６４−４６８２号公報」
【特許文献２】「特開平１０−１１９４７７号公報」
【発明の開示】
【発明が解決しようとする課題】
【０００４】
しかしながら、特許文献１のように、軸筒内に、内方に向かって形成したリブ等の受け部にインキ収容筒の後端面を当接して保持する場合には、インキ収容筒に、機械組などにより後方側への強い力が加わると、受け部が座屈等によって変形してしまい、所望する位置にボールペンレフィルを配設できなくなり、結果として所望するペン先部の突出量を得ることができないという問題があった。そのため、リブの幅を厚く形成したり、リブの数を多くしたりすることによって、受け部の変形を防止していたが、満足のいくものではなかった。
【０００５】
また、特許文献２のように、軸筒の後端部に段部を設けて、この段部に、インキ収容筒の後端部を当接して保持することによって、前述した座屈は発生しないため好ましいが、軸筒後端部に空気穴を形成しない、有底の軸筒には不向きである。これは、有底の軸筒の場合、段部にインキ収容筒の後端部を当接すると、インキ収容筒の後端への空気流通が閉鎖されるため、軸筒後端部に内外を連通する空気穴が必要であるいう問題があった。
【０００６】
本発明の目的は、ボールペンレフィルが当接する受け部が変形することがないため、所定の位置にボールペンレフィルを収納できる、有底の軸筒からなるボールペンを簡単な構造で提供することにある。
【課題を解決するための手段】
【０００７】
本発明は前記目的を達成するために、有底の軸筒内に、インキ収容筒の先端部に、ボールを回転自在に抱持したボールペンチップを直接又はチップホルダーを介して装着し、後端に内外を連通する空気穴を有するボールペンレフィルを配設してなるボールペンであって、前記軸筒の後端部内に、複数本の突部が交差する受け部を形成し、該受け部に前記ボールペンレフィルの後端面を当接して配設してあることを特徴とする。
【０００８】
また、前記複数本の突部の交差する位置が、前記軸筒の軸心から偏心した位置に形成したことを特徴とする。
【０００９】
また、前記受け部の前方に、ボールペンレフィルをガイドする複数本のリブを連設したことを特徴とする。
【発明の効果】
【００１０】
本発明のボールペンは前述したような構造なので、ボールペンレフィルが当接する受け部が変形することがないため、所定の位置にボールペンレフィルを収納できる、有底の軸筒からなるボールペンを簡単な構造で提供することができた。
【発明を実施するための最良の形態】
【００１１】
本発明の実施例を図面を用いて説明する。同じ部材、同じ箇所を示すものは同じ符号を付す。
【００１２】
図１から図４に示す実施例１のボールペン１は、前軸２と後軸３とを連結した軸筒本体内に、筆記具用インキ（図示せず）を直詰めしたインキ収容筒９の先端に、ボールを回転自在に抱持したボールペンチップ１１を、チップホルダー１０を介して装着したボールペンレフィルを配設した筆記具本体と、ポリカーボネート樹脂（ＰＣ樹脂）で射出成形にて透明のキャップ４とを、前軸２の外壁に形成した嵌合凸部２ａと、キャップ４の内壁に形成した嵌合突部４ａの乗り越し嵌合によって、着脱自在に装着して、キャップ式のボールペン１を得ている。
【００１３】
キャップ４は、転がり防止用突起５を一体に成形し、頭冠６を二色成形により形成してあり、この頭冠６の内部にペン先部を密閉するシール部材７を付設してある。また、前軸２の把持部には、グリップ部材８を装着してある。
【００１４】
後軸３は有底状であり、この後軸３の後端部に、２本の突部が交差する略十字状の受け部３ｂを形成し、この受け部３ｂにインキ収容筒９の後端面を当接して配設してある。後軸３を有底状とすることによって、仮にインキ逆流が発生しても、軸筒後端部からインキが漏れ出すことがない。また、受け部３ｂには、インキ収容筒９の後端部をガイドする内方に向かって延びるリブ３ａを４本、連設してある。
【００１５】
インキ収容筒９の後端部への空気交替は、受け部３ｂを形成することによって、インキ収容筒９の後端開口部から受け部３ｂ及びリブ３ａの隙間を連通し、更に後軸３とインキ収容筒９の隙間を経由し、前軸２と後軸３の連結部に形成した空気流路（図示せず）によって外部と連通している。尚、内外を連通する空気流路の位置は、前軸と後軸の連結部に限らず、後軸や前軸に空気穴を形成、又は前軸とボールペンチップの隙間に形成する等、適宜選択して形成することができる。
【００１６】
後軸３の後端部に形成した、２本の突部が交差する略十字状の受け部３ｂにインキ収容筒９の後端面を当接して配設することによって、後軸３の後端側への強い力が加わっても、受け部３ｂが座屈等、変形することがないため、突部の幅Ｌを小さく、且つ略十字形状と突部の数も少なくすることができるとともに、ボールペンレフィルを所望する位置に配設することができるので、機械組などに好適である。
【００１７】
また、受け部３ｂに、インキ収容筒９の後端部をガイドする内方に向かって延びるリブ３ａを４本、連設することによって、ボールペンレフィルの後端部をスムーズに受け部に誘導することができるので好ましい。
【００１８】
図５に示す実施例２は、有底の後軸１３の後端部に、２本の突部が交差する略十字状の受け部１３ｂを形成するとともに、２本の突部の交差する位置が、軸筒の軸心から偏心した位置としているものである。
【００１９】
受け部１３ｂの突部の交差点が、軸筒の軸心から偏心した位置にすることによって、特に尾栓（図示せず）のようにインキ収容筒９の後端部の内外に連通する空気穴Ｋが小径の場合には、受け部１３ｂによって空気穴を閉鎖し難くなるので好ましい。
【００２０】
本実施例では、便宜上、２本の突部が交差する略十字状の受け部としてあるが、複数の突部が交差する受け部を形成してあれば、４本、６本等、特に限定されるものではない。
【産業上の利用可能性】
【００２１】
本発明のボールペンは、インキの種類やペン先形状に限定されることなく使用することができるが、有底の軸筒を用いるため、低粘度のインキを直詰めするボールペンに用いることが好ましい。
【図面の簡単な説明】
【００２２】
【図１】実施例１のボールペンを示す、縦断面図である。
【図２】図１における一部省略した、要部拡大断面図である。
【図３】図１におけるＡ−Ａ断面図である。
【図４】図１におけるＢ−Ｂ断面図である。
【図５】実施例２のボールペンを示す、一部省略した要部拡大断面図である。
【符号の説明】
【００２３】
１  ボールペン
２  前軸
２ａ  嵌合凸部
３、１３  後軸
３ａ、  リブ
３ｂ、１３ｂ  受け部
４  キャップ
４ａ  嵌合突部
４ｂ  移動防止突部
５  滑り止め部
６  転がり防止用突起
７  頭冠
８  シール部材
９  インキ収容筒
１０  チップホルダー
１１  ボールペンチップ
１２  グリップ部材
【図１】
2008055834.tif 000003
【図２】
2008055834.tif 000004
【図３】
2008055834.tif 000005
【図４】
2008055834.tif 000006
【図５】
2008055834.tif 000007